(57)【要約】【課題】再生の容易化を図る。【解決手段】第１分割ヨーク１９が、第１取付孔２７を有する第１側壁２１、第１側壁２１に相対峙する第２側壁２２と、第１側壁２１および第２側壁２２を互いに繋ぐ背壁２３と、第１側壁２１に設けられた第１係合部２５と、第２側壁２２に設けられた第２係合部２６とを備え、第２分割ヨーク２０が、第２取付孔３４を有する第３側壁２８と、第３側壁２８に相対峙する第４側壁２９と、第３側壁２８および第４側壁２９を互いに繋ぐ背壁３０と、第３側壁２８に設けられた第３係合部３２、第４側壁２９に設けられた第４係合部３３とを備え、第１係合部２５と第３係合部３２とが互いに嵌合され、第２係合部２６と第４係合部３３とが互いに嵌合されることによって、第１分割ヨーク１９と第２分割ヨーク２０とが１つのヨーク４を形成している。【選択図】図１
2006253324.tif 000002
【特許請求の範囲】
【請求項１】
中心孔を有する合成樹脂のボビンにコイルを巻き付けた電磁コイルと、ボビンの中心孔の一端部に配置されたコアと、電磁コイルを囲むとともにコアに接続された角筒状の１つのヨークと、ヨークの外側からボビンの中心孔に挿入されたプランジャとを備えた電磁ソレノイド装置において、前記電磁コイルを囲むとともにコアに接続された角筒状の１つのヨークが第１分割ヨークと第２分割ヨークとにより構成されるものであって、第１分割ヨークが、コイルの外側に配置される第１取付孔を有する第１側壁と、第１側壁に相対峙してコイルの外側に配置される第２側壁と、第１側壁および第２側壁を互いに繋いでボビンの中心孔の開口突起を嵌め込むための背壁と、第１側壁の端部に設けられた凸形状または凹形状の第１係合部と、第２側壁の端部に設けられた凸形状または凹形状の第２係合部とを備え、第２分割ヨークが、コイルの外側に配置される第２取付孔を有する第３側壁と、第３側壁に相対峙してコイルの外側に配置される第４側壁と、第３側壁および第４側壁を互いに繋いでコアを接続するための背壁と、第３側壁の端部に設けられた凹形状または凸形状の第３係合部と、第４側壁の端部に設けられた凹形状または凸形状の第４係合部とを備え、第１係合部と第３係合部とが互いにかしめつけられることなく嵌合され、第２係合部と第４係合部とが互いにかしめつけられることなく嵌合されることによって、第１分割ヨークと第２分割ヨークとが前記電磁コイルを囲むとともにコアに接続された角筒状の１つのヨークを形成したことを特徴とする電磁ソレノイド装置。
【請求項２】
中心孔を有する合成樹脂のボビンにコイルを巻き付けた電磁コイルと、ボビンの中心孔の一端部に配置されたコアと、電磁コイルを囲むとともにコアに接続された角筒状の１つのヨークと、ヨークの外側からボビンの中心孔に挿入されたプランジャとを備えた電磁ソレノイド装置において、前記電磁コイルを囲むとともにコアに接続された角筒状の１つのヨークが第１分割ヨークと第２分割ヨークとにより構成されるものであって、第１分割ヨークが、コイルの外側に配置される第１取付孔を有する第１側壁と、第１側壁に繋がってボビンの中心孔の開口突起を嵌め込むための背壁と、第１側壁の端部に設けられた凸形状または凹形状の第１係合部と、背壁の端部に設けられた凸形状または凹形状の第２係合部とを備え、第２分割ヨークが、コイルの外側に配置される第２取付孔を有する第３側壁と、第３側壁に相対峙してコイルの外側に配置される第４側壁と、第３側壁および第４側壁を互いに繋いでコアを接続するための背壁と、第３側壁の端部に設けられた凹形状または凸形状の第３係合部と、第４側壁の端部に設けられた凹形状または凸形状の第４係合部とを備え、第１係合部と第３係合部とが互いにかしめつけられることなく嵌合され、第２係合部と第４係合部とが互いにかしめつけられることなく嵌合されることによって、第１分割ヨークと第２分割ヨークとが前記電磁コイルを囲むとともにコアに接続された角筒状の１つのヨークを形成したことを特徴とする電磁ソレノイド装置。
【請求項３】
中心孔を有する合成樹脂のボビンにコイルを巻き付けた電磁コイルと、ボビンの中心孔の一端部に配置されたコアと、電磁コイルを囲むとともにコアに接続された角筒状の１つのヨークと、ヨークの外側からボビンの中心孔に挿入されたプランジャとを備えた電磁ソレノイド装置において、前記電磁コイルを囲むとともにコアに接続された角筒状の１つのヨークが第１分割ヨークと第２分割ヨークとにより構成されるものであって、第１分割ヨークが、コイルの外側に配置される第１取付孔を有する第１側壁と、第１側壁に相対峙してコイルの外側に配置される第２側壁と、第１側壁および第２側壁を互いに繋いでボビンの中心孔の開口突起を嵌め込むための背壁と、第１側壁の端部に設けられた凸形状または凹形状の第１係合部と、第２側壁の端部に設けられた凸形状または凹形状の第２係合部とを備え、第２分割ヨークが、コイルの外側に配置される第２取付孔を有する第３側壁と、第３側壁に繋がってコアを接続するための背壁と、第３側壁の端部に設けられた凹形状または凸形状の第３係合部と、背壁の端部に設けられた凹形状または凸形状の第４係合部とを備え、第１係合部と第３係合部とが互いにかしめつけられることなく嵌合され、第２係合部と第４係合部とが互いにかしめつけられることなく嵌合されることによって、第１分割ヨークと第２分割ヨークとが前記電磁コイルを囲むとともにコアに接続された角筒状の１つのヨークを形成したことを特徴とする電磁ソレノイド装置。
【請求項４】
第１係合部と第３係合部との嵌合または第２係合部と第４係合部との嵌合が圧入により形成されたことを特徴とする請求項１乃至請求項３の１つに記載の電磁ソレノイド装置。
【発明の詳細な説明】
【技術分野】
【０００１】
本発明は、再生が容易な電磁ソレノイド装置に関する。
【背景技術】
【０００２】
遊技機には多数の電磁ソレノイド装置が使用されているが、省エネルギーの観点から、使用済として遊技店から回収した遊技機から電磁ソレノイド装置を取り外し、この取り外された電磁ソレノイド装置が製品として再び使用可能であるか否かの検査を行った後、使用可能である電磁ソレノイド装置を新しい遊技機に使用することが考えられている。そして、検査の結果、使用不可能となった電磁ソレノイド装置について検討したところ、電磁コイルとコアおよびプランジャは錆や傷などないものの、ヨークが錆ており、ヨークを交換すると、使用可能となるものが多数存在することが判明した。このようなことから、ヨークを新しいものと交換しようとした場合、従来公知の電磁ソレノイド装置では、ヨークが２つの分割ヨークを互いにかしめ付けることによって電磁コイルを囲む角筒状に形成された構造であるため、２つの分割ヨークの分解が面倒であるという欠点があった。
【特許文献１】特開２００３−６８５２３号公報
【発明の開示】
【発明が解決しようとする課題】
【０００３】
発明が解決しようとする問題点は、ヨークの交換が面倒であるという点である。
【課題を解決するための手段】
【０００４】
本発明に係る電磁ソレノイド装置は、中心孔を有する合成樹脂のボビンにコイルを巻き付けた電磁コイルと、ボビンの中心孔の一端部に配置されたコアと、電磁コイルを囲むとともにコアに接続された角筒状の１つのヨークと、ヨークの外側からボビンの中心孔に挿入されたプランジャとを備えた電磁ソレノイド装置において、前記電磁コイルを囲むとともにコアに接続された角筒状の１つのヨークが第１分割ヨークと第２分割ヨークとにより構成されるものであって、第１分割ヨークが、コイルの外側に配置される第１取付孔を有する第１側壁と、第１側壁に相対峙してコイルの外側に配置される第２側壁と、第１側壁および第２側壁を互いに繋いでボビンの中心孔の開口突起を嵌め込むための背壁と、第１側壁の端部に設けられた凸形状または凹形状の第１係合部と、第２側壁の端部に設けられた凸形状または凹形状の第２係合部とを備え、第２分割ヨークが、コイルの外側に配置される第２取付孔を有する第３側壁と、第３側壁に相対峙してコイルの外側に配置される第４側壁と、第３側壁および第４側壁を互いに繋いでコアを接続するための背壁と、第３側壁の端部に設けられた凹形状または凸形状の第３係合部と、第４側壁の端部に設けられた凹形状または凸形状の第４係合部とを備え、第１係合部と第３係合部とが互いにかしめつけられることなく嵌合され、第２係合部と第４係合部とが互いにかしめつけられることなく嵌合されることによって、第１分割ヨークと第２分割ヨークとが前記電磁コイルを囲むとともにコアに接続された角筒状の１つのヨークを形成したり、または、第１分割ヨークが、コイルの外側に配置される第１取付孔を有する第１側壁と、第１側壁に繋がってボビンの中心孔の開口突起を嵌め込むための背壁と、第１側壁の端部に設けられた凸形状または凹形状の第１係合部と、背壁の端部に設けられた凸形状または凹形状の第２係合部とを備え、第２分割ヨークが、コイルの外側に配置される第２取付孔を有する第３側壁と、第３側壁に相対峙してコイルの外側に配置される第４側壁と、第３側壁および第４側壁を互いに繋いでコアを接続するための背壁と、第３側壁の端部に設けられた凹形状または凸形状の第３係合部と、第４側壁の端部に設けられた凹形状または凸形状の第４係合部とを備え、第１係合部と第３係合部とが互いにかしめつけられることなく嵌合され、第２係合部と第４係合部とが互いにかしめつけられることなく嵌合されることによって、第１分割ヨークと第２分割ヨークとが前記電磁コイルを囲むとともにコアに接続された角筒状の１つのヨークを形成したり、または、第１分割ヨークが、コイルの外側に配置される第１取付孔を有する第１側壁と、第１側壁に相対峙してコイルの外側に配置される第２側壁と、第１側壁および第２側壁を互いに繋いでボビンの中心孔の開口突起を嵌め込むための背壁と、第１側壁の端部に設けられた凸形状または凹形状の第１係合部と、第２側壁の端部に設けられた凸形状または凹形状の第２係合部とを備え、第２分割ヨークが、コイルの外側に配置される第２取付孔を有する第３側壁と、第３側壁に繋がってコアを接続するための背壁と、第３側壁の端部に設けられた凹形状または凸形状の第３係合部と、背壁の端部に設けられた凹形状または凸形状の第４係合部とを備え、第１係合部と第３係合部とが互いにかしめつけられることなく嵌合され、第２係合部と第４係合部とが互いにかしめつけられることなく嵌合されることによって、第１分割ヨークと第２分割ヨークとが前記電磁コイルを囲むとともにコアに接続された角筒状の１つのヨークを形成したりすることを最も主要な特徴とする。これらの本発明に係る電磁ソレノイド装置において、第１係合部と第３係合部との嵌合または第２係合部と第４係合部との嵌合が圧入により形成されてもよい。
【発明の効果】
【０００５】
本発明に係る電磁ソレノイド装置は、電磁ソレノイド装置が使用済として回収され、回収された電磁ソレノイド装置が製品として再び使用可能であるか否かの検査を行われ、検査の結果、使用不可能となった電磁ソレノイド装置において、電磁コイルとコアおよびプランジャが損傷なく、ヨークを交換すると、使用可能となる場合、１つのヨークを構成する第１分割ヨークと第２分割ヨークとが互いに離れる方向に引っ張られることによって、第１係合部と第３係合部との嵌め合いが解除され、第２係合部と第４係合部との嵌め合いが解除され、第１分割ヨークと第２分割ヨークとを容易に分解することができるという利点がある。分解後、新しいコアの固定されていない第１分割ヨークと新しいコアの固定された第２分割ヨークとを使用し、これらの新しい第１分割ヨークと新しい第２分割ヨークと上記分解された使用可能な電磁コイルおよびプランジャとによって、電磁ソレノイド装置を組み立てることによって、電磁ソレノイド装置が再生できるという利点がある。第１係合部と第３係合部との嵌合または第２係合部と第４係合部との嵌合が圧入により形成されれば、１つのヨークを構成する第１分割ヨークと第２分割ヨークとが人によって互いに離れる方向に引っ張られることによって、第１係合部と第３係合部との嵌め合いが解除され、第２係合部と第４係合部との嵌め合いが解除されるので、分解作業が一層容易となるという利点がある。
【発明を実施するための最良の形態】
【０００６】
図１乃至図３は、発明を実施するための最良の形態である。図１は電磁ソレノイド装置１を相手側部材５５に取り付けた形態を図２のＢ−Ｂ線に沿い切断した断面を示す。図２は、電磁ソレノイド装置１の外観を示す。図３のａ図は、電磁ソレノイド装置１を分解して示す。図３のｂ図は、ストッパ６とストッパ取付孔１７とコア取付孔３１との寸法関係を示す。この明細書において、「前」、「後」、「裏」、「左」、「右」、「上」、「下」の方向は、図２の状態に電磁ソレノイド装置１を置いて矢印Ａで示す前側から見た場合に特定される方向である。「後」と「裏」とは同じ方向である。
【０００７】
図３を参照し、電磁ソレノイド装置１の構成部品について説明する。電磁ソレノイド装置１は、構成部品として、電磁コイル２とコア３とヨーク４とプランジャ５およびストッパ６を備える。電磁コイル２は、前後方向に貫通する中心孔１１を有する合成樹脂のボビン１２にコイル１３を巻き付けた形状であって、コイル１３が口出線１４から電力供給を受けることによって、中心孔１１とコイル１３の外側とを通る環状の磁界を形成し、コイル１３への電力供給が遮断されることによって、消磁する構造である。ボビン１２の前端部には、中心孔１１を囲む筒状の開口突起１５が、ボビン１２の筒状の胴部に巻き付けられたコイル１３を支持する前側の鍔部１６から前側に突出する。ボビン１２の前端部は、ボビン１２におけるプランジャ５の方向に位置する一端部である。
【０００８】
コア３は、中心孔１１の後端部に配置され、電磁コイル２の磁界によって電磁石になり、電磁コイル２の消磁によって電磁石としての機能を失うものであって、コア３の中心部に、ストッパ取付孔１７を備える。コア３の配置される中心孔１１の後端部は、中心孔１１のプランジャ５の方向と逆方向に位置する一端部である。コア３は、コア３が中心孔１１に挿入された場合、コア３の外周面が中心孔１１を囲むボビン１２の内周面と接触する、太さの直線的な棒状である。ストッパ取付孔１７は、コア３の中心において、コア３の前後に貫通し、ストッパ６を取り付けるための孔である。プランジャ５は、ボビン１２の前側から中心孔１１に中心孔１１の軸方向に移動可能に挿入され、電磁石となったコア３に吸引されて中心孔１１の後端側に向かって移動し、コア３が電磁石の機能を失うと、図外のばねのばね力で中心孔１１の前端側に向かって移動する部材である。
【０００９】
ヨーク４は、電磁コイル２を囲むとともにコア３に接続された１つの角筒状であって、電磁コイル２の磁界をコア３に収束させる部材である。ヨーク４は、第１分割ヨーク１９と第２分割ヨーク２０により構成される。第１分割ヨーク１９および第２分割ヨーク２０は、ヨーク４を構成するための、異なる形状からなる２つの分割ヨークである。第１分割ヨーク１９は、第１側壁２１、第２側壁２２、背壁２３、ボビン取付孔２４、第１係合部２５、第２係合部２６、第１取付孔２７を一体に備えた形状である。第１側壁２１および第２側壁２２は、互いに相対峙し、コイル１３の径方向の外側に配置される部分である。背壁２３は、第１側壁２１と第２側壁２２とを互いに繋ぐ部分である。ボビン取付孔２４は、ボビン１２の開口突起１５を嵌め込むために、背壁２３の前後方向に貫通する孔として、背壁２３に設けられる。第１係合部２５は、第３係合部３２を嵌め合わせるために、第１側壁２１の一端部としての後端部に設けられ、第１側壁２１を上から見た場合に、方形となる凹形状である。第２係合部２６は、第４係合部３３を嵌め合わせるために、第２側壁２２の一端部としての後端部に設けられ、第２側壁２２を下から見た場合、方形となる凹形状である。
【００１０】
第２分割ヨーク２０は、第３側壁２８、第４側壁２９、背壁３０、コア取付孔３１、第３係合部３２、第４係合部３３、第２取付孔３４を一体に備えた形状である。第３側壁２８および第４側壁２９は、互いに相対峙し、コイル１３の径方向の外側に配置される部分である。背壁３０は、第３側壁２８と第４側壁２９とを互いに繋ぐ部分である。コア取付孔３１は、ストッパ６の胴体５１を嵌め込むために、背壁３０の前後方向に貫通する孔として、背壁３０に設けられる。第３係合部３２は、第１係合部２５を嵌め合わせるために、第３側壁２８の一端部としての前端部に設けられ、第３側壁２８を上から見た場合、方形となる凸形状である。第４係合部３３は、第２係合部２６を嵌め合わせるために、第４側壁２９の一端部としての前端部に設けられ、第４側壁２９を下から見た場合、方形となる凸形状である。
【００１１】
第１係合部２５および第３係合部３２が互いに嵌め合わされる形状について詳述する。第１係合部２５は、互いに平行に相対峙する一対の対向面３５；３６と、対向面３５；３６を互いに繋ぐ連絡面３７とによって、第１側壁２１の端面３８から内部に窪む形状である。対向面３５；３６は、中心孔１１の前後方向への軸心と平行になっている。第３係合部３２は、互いに平行に相対峙する一対の対向面３９；４０と、対向面３９；４０を互いに繋ぐ連絡面４１とによって、第３側壁２８の端面４２から前側に突出する形状である。対向面３９；４０は、中心孔１１の前後方向への軸心と平行になっている。連絡面３７と端面３８との間の寸法Ｔ１と、連絡面４１と端面４２との間の寸法Ｔ２とは、同一寸法である（Ｔ１＝Ｔ２）。対向面３５；３６の相対峙する寸法Ｔ３と、対向面３９；４０の相対峙する寸法Ｔ４とは、同一寸法である（Ｔ３＝Ｔ４）。これによって、第１係合部２５および第３係合部３２が人の力による圧入で嵌め合わされることが可能になっている。そして、第１係合部２５と第３係合部３２とが互いに嵌め合わされると、対向面３５；３６と対向面３９；４０とが互いに接触し、連絡面３７と連絡面４１とが互いに接触する。
【００１２】
第２係合部２６および第４係合部３３が互いに嵌め合わされる形状について詳述する。第２係合部２６は、互いに平行に相対峙する一対の対向面４３；４４と、対向面４３；４４を互いに繋ぐ連絡面４５とによって、第２側壁２２の端面４６から内部に窪む形状である。対向面４３；４４は、中心孔１１の前後方向への軸心と平行になっている。第４係合部３３は、互いに平行に相対峙する一対の対向面４７；４８と、対向面４７；４８を互いに繋ぐ連絡面４９とによって、第４側壁２９の端面５０から前側に突出する形状である。対向面４７；４８は、中心孔１１の前後方向への軸心と平行になっている。連絡面４５と端面４６との間の寸法Ｔ５と、連絡面４９と端面５０との間の寸法Ｔ６とは、同一寸法である（Ｔ５＝Ｔ６）。対向面４３；４４の相対峙する寸法Ｔ７と、対向面４７；４８の相対峙する寸法Ｔ８とは、同一寸法である（Ｔ７＝Ｔ８）。これによって、第２係合部２６および第４係合部３３が人の力による圧入で嵌め合わされることが可能になっている。そして、第２係合部２６および第４係合部３３が互いに嵌め合わされると、対向面４３；４４と対向面４７；４８とが互いに接触し、連絡面４５と連絡面４９とが互いに接触する。
【００１３】
ストッパ６は、胴体５１とプランジャ受止部５２とを備える。胴体５１は、ストッパ取付孔１７に挿入される直線的な棒状である。プランジャ受止部５２は、胴体５１の前端部に同軸に設けられ、胴体５１の外径よりも大きな外径を有する。プランジャ受止部５２の外径は、ストッパ取付孔１７の口径よりも大きい。図３のｂ図に示すように、背壁３０の後面には、コア取付孔３１を囲む逃部５３が、背壁３０の後面から内部に窪むように形成される。胴体５１における前後方向の寸法Ｌ１は、ストッパ取付孔１７における前後方向の寸法とコア取付孔３１における前後方向の寸法とを合計した寸法Ｌ２よりも大きい（Ｌ１＞Ｌ２）。
【００１４】
図３のａ図を参照し、電磁ソレノイド装置１の組み立て方について説明する。ストッパ６の胴体５１がコア３の前側からストッパ取付孔１７を経由して第２分割ヨーク２０のコア取付孔３１に挿入され、プランジャ受止部５２がコア３の前面に接触し、コア３が背壁３０の前面に接触し、胴体５１における背壁３０の後側に突出した部分が人または機械によって押し潰されるようにかしめ付けられてストッパ取付孔１７よりも径方向外側に大きな押潰部５４（図１参照）となることによって、押潰部５４およびプランジャ受止部５２がストッパ取付孔１７およびコア取付孔３１の前後方向からコア３および背壁３０を挟み、ストッパ６およびコア３が第２分割ヨーク２０に固定的に取り付けられ、プランジャ受止部５２がストッパ取付孔１７から前側に突出する。押潰部５４は、逃部５３に配置され、背壁３０の裏面よりも裏側に突出していない。
【００１５】
次に、電磁コイル２がコア３の固定されていない第１分割ヨーク１９とコア３の固定された第２分割ヨーク２０とに組み付けられる。その場合、第１分割ヨーク１９および第２分割ヨーク２０は、第１係合部２５および第３係合部３２が互いに向かい合わせられ、第２係合部２６および第４係合部３３が互いに向かい合わせられ、第１分割ヨーク１９の背壁２３および第２分割ヨーク２０の背壁３０が互いに向かい合わせられる。そして、電磁コイル２の開口突起１５が第１側壁２１と第２側壁２２との間からボビン取付孔２４に挿入され、開口突起１５の周囲における鍔部１６の面が背壁２３の内側面に接触する。また、第２分割ヨーク２０の背壁３０から前側に突出したコア３が電磁コイル２の開口突起１５の設けられていない方の鍔部１６の側から中心孔１１に挿入されて中心孔１１の一端部としての後端部に配置される。これによって、電磁コイル２の中心孔１１を囲むボビン１２の内周面およびコア３の外周面が互いに接触し、電磁コイル２の開口突起１５の設けられていない方の鍔部１６および背壁３０が互いに接触する。
【００１６】
それから、背壁２３と背壁３０との対向間隔が狭くなるように、第１分割ヨーク１９および第２分割ヨーク２０が互いに近づけられることによって、第１係合部２５および第３係合部３２が互いにかしめつけられることなく嵌め合わされ、第２係合部２６および第４係合部３３が互いにかしめつけられることなく嵌め合わされる。これによって、第１分割ヨーク１９および第２分割ヨーク２０が、電磁コイル２を囲むとともにコア３に接続された角筒状の１つのヨーク４として構成される。その後、プランジャ５が開口突起１５の側から中心孔１１に挿入されると、プランジャ５が中心孔１１に配置されたコア３のプランジャ受止部５２に衝突し、それ以上、プランジャ５が中心孔１１に挿入されないように停止する。これによって、電磁ソレノイド装置１が図１および図２に示す形状に組み立てられる。
【００１７】
図１において、前記のように組み立てられた電磁ソレノイド装置１は、電磁ソレノイド装置１を取り付けるための一体に構成された相手側部材５５に止ねじ５６で固定的に取り付けられる。相手側部材５５は、遊技機の場合、羽根、開閉体、扉、スライダー、可動体など動く部材（電磁ソレノイド装置１によって動作される部材）を有する遊技部品によって構成される。具体的には、電磁ソレノイド装置１が遊技部品である相手側部材５５に取り付けられ、電磁ソレノイド装置１のプランジャ５が遊技部品の動く部材にリンク機構で連結され、リンク機構またはプランジャ５にばねが取り付けられる。そして、電磁コイル２のコイル１３が電力供給を受けると、電磁コイル２に発生した磁界がコア３に収束し、コア３がプランジャ５を磁力で吸引し、プランジャ５が中心孔１１で誘導されつつ中心孔１１の後端側に移動してプランジャ受止部５２に衝突する。このようにプランジャ５が移動する過程において、上記リンク機構またはプランジャ５に取り付けられたばねが圧縮または伸張してばね力を蓄える。上記コイル１３への電力供給が遮断されると、電磁コイル２に発生した磁界が消磁し、上記ばねが蓄えたばね力を放出するように伸張または圧縮し、このばねから放出されたばね力がプランジャ５を中心孔１１で誘導されつつ中心孔１１の前端側に移動する。このように、プランジャ５が中心孔１１で誘導されつつ中心孔１１の後端側に移動したり前端側に移動したりする、プランジャ５の動作によって、遊技部品における動く部材が作動する。
【００１８】
相手側部材５５には、止ねじ５６のねじ部を挿入するための貫通孔なる複数の取付孔５７が、組み立てられた電磁ソレノイド装置１における中心孔１１の軸心と直交する方向の一側に位置する第１取付孔２７と第２取付孔３４と対応する位置に設けられる。そして、止ねじ５６が相手側部材５５の外側から複数の取付孔５７を経由して組み立てられた電磁ソレノイド装置１の一側に位置する第１取付孔２７と第２取付孔３４とに締結されることによって、ヨーク４を構成している２つの分割ヨーク１９；２０が相手側部材５５に固定され、第１係合部２５と第３係合部３２との嵌め合いが適切に維持され、第２係合部２６と第４係合部３３との嵌め合いが適切に維持され、電磁ソレノイド装置１の機能が発揮できるという利点がある。
【００１９】
最良の形態における電磁ソレノイド装置１は、電磁コイル２を囲むとともにコア３に接続された角筒状の１つのヨーク４が第１分割ヨーク１９と第２分割ヨーク２０とにより構成されるものであって、第１分割ヨーク１９が、コイル１３の外側に配置される第１取付孔２７を有する第１側壁２１、第１側壁２１に相対峙してコイル１３の外側に配置される第２側壁２２と、第１側壁２１および第２側壁２２を互いに繋いでボビン１２の中心孔１１の開口突起１５を嵌め込むための背壁２３と、第１側壁２１の端部に設けられた凹形状第１係合部２５と、第２側壁２２の端部に設けられた凹形状の第２係合部２６とを備え、第２分割ヨーク２０が、コイル１３の外側に配置される第２取付孔３４を有する第３側壁２８と、第３側壁２８に相対峙してコイル１３の外側に配置される第４側壁２９と、第３側壁２８および第４側壁２９を互いに繋いでコア３を接続するための背壁３０と、第３側壁２８の端部に設けられた凸形状の第３係合部３２、第４側壁２９の端部に設けられた凸形状の第４係合部３３とを備え、第１係合部２５と第３係合部３２とが互いに嵌合され、第２係合部２６と第４係合部３３とが互いに嵌合されることによって、第１分割ヨーク１９と第２分割ヨーク２０とが前記電磁コイル２を囲むとともにコア３に接続された角筒状の１つのヨーク４を形成した構造である。
【００２０】
このため、電磁ソレノイド装置１が使用済として回収され、回収された電磁ソレノイド装置１が製品として再び使用可能であるか否かの検査を行われ、検査の結果、使用不可能となった電磁ソレノイド装置１において、電磁コイル２とコア３およびプランジャ５が損傷なく、ヨーク４を交換すると、使用可能となる場合、止ねじ５６が取り外され、電磁ソレノイド装置１が相手側部材５５から取り外された状態において、人が１つのヨーク４を構成する第１分割ヨーク１９と第２分割ヨーク２０とを互いに離れる方向つまり前後方向に引っ張ることによって、第１係合部２５と第３係合部３２との嵌め合いが解除され、第２係合部２６と第４係合部３３との嵌め合いが解除され、第１分割ヨーク１９と第２分割ヨーク２０とを容易に分解することができるという利点がある。分解後、新しいコア３の固定されていない第１分割ヨーク１９と新しいコア３の固定された第２分割ヨーク２０とを使用し、これらの新しい第１分割ヨーク１９と新しい第２分割ヨーク２０と上記分解された使用可能な電磁コイル２およびプランジャ５とによって、電磁ソレノイド装置１を組み立てることによって、電磁ソレノイド装置１が再生できるという利点がある。
【００２１】
コア３が第２分割ヨーク２０にストッパ６で結合されているので、ストッパ６の押潰部５４を除去することによって、コア３が第２分割ヨーク２０から取り外せるので、前記検査の結果、コア３が使用可能である場合、第２分割ヨーク２０から取り外したコア３を、新しい第２分割ヨーク２０に新しいストッパ６で結合することによって、上記分解された使用可能なコア３も再使用することができるという利点がある。ストッパ６の胴体５１の外周面に雄ねじを形成し、第２分割ヨーク２０のコア取付孔３１の内周面に雌ねじを形成し、胴体５１をコア３の前側からストッパ取付孔１７を経由してコア取付孔３１に締結し、プランジャ受止部５２をコア３の前面に接触させることによって、ストッパ６でコア３を第２分割ヨーク２０に結合してもよいが、ストッパ６に押潰部５４が形成されたことによって、コア３が第２分割ヨーク２０に結合されているので、上記ストッパ６を雄ねじと雌ねじとによるねじ嵌合でコア３を第２分割ヨーク２０に結合した場合よりも、コア３の第２分割ヨーク２０への結合が強固である。よって、プランジャ５がプランジャ受止部５２に衝突する衝撃によって、ストッパ６によるコア３と第２分割ヨーク２０との結合ががたがたに弛むことがないという利点がある。
【００２２】
コア３が第２分割ヨーク２０にコア取付孔３１を介して結合され、コア３の外周面が中心孔１１を囲むボビン１２の内周面に接触して中心孔１１に収納され、電磁コイル２の開口突起１５が第１分割ヨーク１９のボビン取付孔２４に嵌め込まれているので、第１分割ヨーク１９と第２分割ヨーク２０とからなる１つのヨーク４の形態、電磁コイル２が第１分割ヨーク１９と第２分割ヨーク２０とからなる１つのヨーク４の内部に配置された形態が適切に保持され、プランジャ５が中心孔１１の内部で前後方向に移動する、電磁ソレノイド装置１の本来の性能が好適に発揮できるという利点がある。
【産業上の利用可能性】
【００２３】
図４は、異なる第１の形態に係る１つのヨーク４を分解して示し、第１係合部２５が凸形状に形成され、第２係合部２６が凹形状に形成され、第３係合部３２が凸形状に形成され、第４係合部３３が凸形状に形成され、第１係合部２５と第３係合部３２とが互いにかしめつけることなく嵌め合わされ、第２係合部２６と第４係合部３３とが互いにかしめつけることなく嵌め合わされることによって、第１分割ヨーク１９と第２分割ヨーク２０が１つの角筒状のヨーク４を形成する構造である。第２係合部２６および第４係合部３３における寸法Ｔ５＝Ｔ６、Ｔ７＝Ｔ８は最良の形態と同じである。第１係合部２５における連絡面３７と端面３８との間の寸法Ｔ９と第３係合部３２における連絡面４１と端面４２との間の寸法Ｔ１０とは、同一寸法である（Ｔ９＝Ｔ１０）。第１係合部２５における対向面３５；３６の相対峙する寸法Ｔ１１と第３係合部３２における対向面３９；４０の相対峙する寸法Ｔ１２とは、同一寸法である（Ｔ１１＝Ｔ１２）。
【００２４】
図５は、異なる第２の形態に係る１つのヨーク４を分解して示し、図１の第２側壁２２が第１分割ヨーク１９から除去され、凹形状の第１係合部２５が第１側壁２１に設けられ、凸形状の第２係合部２６が背壁２３に設けられ、凸形状の第３係合部３２が第３側壁２８に設けられ、凹形状の第４係合部３３が第４側壁２９に設けられ、第１係合部２５と第３係合部３２とが互いにかしめつけることなく嵌め合わされ、第２係合部２６と第４係合部３３とが互いにかしめつけることなく嵌め合わされることによって、第１分割ヨーク１９と第２分割ヨーク２０が１つの角筒状のヨーク４を形成する構造である。第２係合部２６における連絡面４５と背壁２３の端面５８との間の寸法Ｔ１３と第４係合部３３における第４側壁２９の厚さである寸法Ｔ１４とは、同一寸法である（Ｔ１３＝Ｔ１４）。第２係合部２６における対向面４３；４４の相対峙する寸法Ｔ１５と第４係合部３３における対向面４７；４８の相対峙する寸法Ｔ１６とは、同一寸法である（Ｔ１５＝Ｔ１６）。
【００２５】
図６は、異なる第３の形態に係る１つのヨーク４を分解して示し、図１の第４側壁２９が第２分割ヨーク２９から除去され、凹形状の第１係合部２５が第１側壁２１に設けられ、凹形状の第２係合部２６が第２側壁２２に設けられ、凸形状の第３係合部３２が第３側壁２８に設けられ、凸形状の第４係合部３３が背壁３０に設けられ、第１係合部２５と第３係合部３２とが互いにかしめつけることなく嵌め合わされ、第２係合部２６と第４係合部３３とが互いにかしめつけることなく嵌め合わされることによって、第１分割ヨーク１９と第２分割ヨーク２０が１つの角筒状のヨーク４を形成する構造である。第２係合部２６における連絡面４５と端面４６との間の寸法Ｔ１７と第４係合部３３における第３側壁の厚さである寸法Ｔ１８とは、同一寸法である（Ｔ１７＝Ｔ１８）。第２係合部２６における対向面４３；４４の相対峙する寸法Ｔ１９と第４係合部３３における対向面４７；４８の相対峙する寸法Ｔ２０とは、同一寸法である（Ｔ１９＝Ｔ２０）。
【００２６】
図７は、異なる第４の形態に係る１つのヨーク４を分解して示し、図６の異なる第３の形態における凸形状の第４係合部３３に一対の突起６１を設け、第２係合部２６と第４係合部３３とが互いにかしめつけることなく嵌め合わされた場合、第２係合部２６が背壁３０の端面と突起６１とで上下方向に挟まれる構造である。
【００２７】
異なる第１乃至第４の形態においても、最良の形態と同様に、１つのヨーク４の分解が容易であるという利点がある。
【図面の簡単な説明】
【００２８】
【図１】電磁ソレノイド装置が相手側部材に取り付けられた形態を示す図２のＢ−Ｂ線断面図（最良の形態）。
【図２】電磁ソレノイド装置を示す外観斜視図（最良の形態）。
【図３】ａ図は電磁ソレノイド装置を示す分解斜視図、ｂ図はストッパとストッパ取付孔とコア取付孔との寸法関係を示す模式図（最良の形態）。
【図４】ヨークを示す分解斜視図（異なる第１の形態）。
【図５】ヨークを示す分解斜視図（異なる第２の形態）。
【図６】ヨークを示す分解斜視図（異なる第３の形態）。
【図７】ヨークを示す分解斜視図（異なる第４の形態）。
【符号の説明】
【００２９】
１    電磁ソレノイド装置
２    電磁コイル
３    コア
４    ヨーク
５    プランジャ
１１  中心孔
１２  ボビン
１３  コイル
１５  開口突起
１９  第１分割ヨーク
２０  第２分割ヨーク
２１  第１側壁
２２  第２側壁
２３  背壁
２５  第１係合部
２６  第２係合部
２７  第１取付孔
２８  第３側壁
２９  第４側壁
３０  背壁
３１  コア取付孔
３２  第３係合部
３３  第４係合部
３４  第２取付孔
【図１】
2006253324.tif 000003
【図２】
2006253324.tif 000004
【図３】
2006253324.tif 000005
【図４】
2006253324.tif 000006
【図５】
2006253324.tif 000007
【図６】
2006253324.tif 000008
【図７】
2006253324.tif 000009